(57)【要約】【課題】エアの圧力を低圧力又は高圧力に切り替えることができる締め付け装置の本体によって、ボルト等の部材の仮締め付け作業及び本締め付け作業が可能な締め付け装置の提供。【解決手段】本体３０の内部にモータが設けられ、本体３０から突出して設けられるモータの回転軸先端に、ソケット３０ｄが着脱自在に設けられる。エア供給管１１は、モータへのエアの供給路であり、本体３０外部に設けられる。圧力切替スイッチ３１は、モータに供給するエアの圧力を低圧力又は高圧力に切り替え可能であり、本体３０の把持部３０ａ上部に設けられる。操作レバー３２は、エア供給管１１を介してモータにエアを供給して、モータをソケット３０ｄと共に回転駆動させることが可能であり、本体３０外部に設けられる。【選択図】図１
2004351549.tif 000002
【特許請求の範囲】
【請求項１】
把持部を有する本体と、
本体に取り付けられたモータと、
モータの回転軸先端に着脱自在に設けられ、ボルト等の部材の形状に適合した形状を有するソケットと、
本体又は本体から切り離して設けられ、モータの回転速度を低速度又は高速度に切替可能な回転速度切替スイッチと、
本体外部に設けられ、モータを回転駆動させる操作レバーとからなることを特徴とする締め付け装置。
【発明の詳細な説明】
【０００１】
【発明の属する技術分野】この発明は、ボルト等の部材をワークの所定位置に締め付けるための締め付け装置に関する。詳細には、同締め付け装置の圧力切替スイッチに関する。
【０００２】
【従来の技術】
従来、ボルト等の部材をワークの所定位置に締め付ける締め付け装置として、バッテリが内蔵された仮締め付け専用インパクト及びバッテリが内蔵された本締め付け専用インパクトが知られている。
まず、仮締め付け専用インパクトを使用して、ワークの所定位置にボルト等の部材の仮締め付けが行われる。仮締め付けは、ボルト等の部材をワークの所定位置に締め付ける際に、ボルトがワークの所定位置に斜めに傾いた状態で挿入され、その状態のまま締め付けられるのを防止するために行われる。また、仮締め付けは、ボルトがワークの所定位置に斜めに傾いた状態で締め付けられた場合に、ボルトとワークとの接触部分に発生する摩擦熱を防止したり、摩擦によりボルトとワークとの接触部分が焼き付くのを防止する。次いで、ワークの所定位置に仮締め付けされたボルト等の部材を本締め付け専用インパクトを使用して、本締め付けが行われる。このように、ワークにボルト等の部材を締め付ける作業には、２種類の専用インパクトが使用されている。
【０００３】
【発明が解決しようとする課題】
しかしながら、従来は、仮締め付け作業及び本締め付け作業を行う場合には、それぞれの作業に適した専用インパクトに持ち替える必要があるため、作業時間が余計にかかり作業効率が落ちるという課題を有した。
【０００４】
【課題を解決するための手段】
この課題を解決するために、
把持部を有する本体と、
本体に取り付けられたモータと、
モータの回転軸先端に着脱自在に設けられ、ボルト等の部材の形状に適合した形状を有するソケットと、
本体に設けられ、モータの回転速度を低速度又は高速度に切替可能な回転速度切替スイッチと、
本体外部に設けられ、モータを回転駆動させる操作レバーとからなることを特徴とする締め付け装置、
【０００５】
を提案する。そして、この発明の作用は、以下の通りである。
まず、仮締め付け作業を行う場合には、回転速度切替スイッチを低速度に設定する。ワークの所定位置に設置したボルト等の部材に、ソケットを接触させた後、操作レバーを指で押し込む。すると、モータが低速で回転駆動を始める。モータの低速回転駆動と共に、ソケットも低速回転してボルト等の部材がワークに締め付けられ始める。ボルト等の部材がワークに完全に締め付けられる前に、操作レバーから指を離し、モータを停止させて仮締め付け作業が完了する。
全てのボルト等の仮締め付け作業の完了後、本締め付け作業を実施する。本締め付け作業を行う場合には、回転速度切替スイッチを高速度に切り替える。そして、ワークの所定位置に仮締め付けされたボルト等の部材に、ソケットを接触させて操作レバーを押し込む。すると、モータが高速で回転駆動を始める。モータの高速回転駆動と共に、ソケットも高速回転してボルト等の部材がワークに締め付けられ始める。ボルト等の部材がワークに完全に締め付けられた後で、操作レバーから指を離し、モータを停止させて本締め付け作業が完了する。
【０００６】
【発明の実施の形態】この発明の第１の実施の形態の締め付け装置のエア供給部及びエア供給源を説明する正面説明図を示す図１、同本体を説明する正面説明図を示す図２、この発明の第２の実施の形態の締め付け装置を説明する正面説明図を示す図３に基づいてこの発明の実施の形態を説明する。
【０００７】
この発明の実施形態の締め付け装置１は、エア源１０と、エア供給部２０と、本体３０とからなる。
【０００８】
エア源１０は、図１に示すように、エア送出孔１０ａが設けられ、エア供給管１１が接続される。エア源１０は、エア送出孔１０ａからエア供給管１１を通して、エア供給部２０にエアを供給する。
【０００９】
エア供給部２０は、図１に示すように、エアフィルタ２１、連結管２２、第一エアレギュレータ２３、第二エアレギュレータ２４、パワーバルブ２５及び電源２６からなる。
【００１０】
エアフィルタ２１は、図１に示すように、エア取入孔２１ａ及びエア送出孔２１ｂが互いに対向位置に設けられ、エア取入孔２１ａにエア供給管１１が接続され、エア送出孔２１ｂに連結管２２の一端が接続される。エアフィルタ２１は、エア源１０からエア供給管１１を通して供給されるエアの塵又はゴミ等を除去可能である。連結管２２は、一端がエアフィルタ２１のエア送出孔２１ｂに接続され、他端がパワーバルブ２５に取り付けられる。更に、連結管２２には、第一エアレギュレータ２３及び第二エアレギュレータ２４が設けられる。第一エアレギュレータ２３及び第二エアレギュレータ２４は、連結管２２の側面に接続され、エアフィルタ２１のエア送出孔２１ｂから送出されて連結管２２内部に充満するエアの圧力を低圧力又は高圧力に設定可能である。
【００１１】
パワーバルブ２５は、図１に示すように、エア取入孔２５ａ及びエア送出孔２５ｂが互いに対向位置に設けられ、エア取入孔２５ａに連結管２２の他端が接続され、エア送出孔２５ｂにエアホース２５ｃが取り付けられる。エアホース２５ｃは、一端がパワーバルブ２５のエア送出孔２５ｂに接続され、他端が本体３０に取り付けられる。パワーバルブ２５は、エアホース２５ｃを通して本体３０に供給されるエアの送出を制御する。電源２６は、エア供給部２０の内部に設けられ、締め付け装置１の外部から電源ケーブル２６ａを介して第一エアレギュレータ２３、第二エアレギュレータ２４、パワーバルブ２５、及び本体３０に電力を供給する。エアホース２５ｃは、一端がパワーバルブ２５に接続され、他端が本体３０に取り付けられる。エアホース２５ｃの内部には、エア源１０からエア供給部２０を介して本体３０へエアを供給するエア供給管、及び本体３０へ電力を供給する電力供給線が挿通されている。更に、エア供給部２０には、電気信号を伝送可能な通信ケーブル２７が接続される。
【００１２】
本体３０は、図２に示すように、把持部３０ａを有するガンタイプからなる。把持部３０ａ上方の本体３０の内部には、モータ（図示せず）が設けられる。本体３０には、モータの回転軸３０ｂ先端が突出可能なように軸孔３０ｃが設けられる。軸孔３０ｃから突出して設けられたモータの回転軸３０ｂ先端には、ソケット３０ｄが設けられる。ソケット３０ｄは、モータの回転軸３０ｂ先端に着脱自在に取り付けられ、回転軸３０ｂと共に回転可能である。更に、本体３０の外部には、圧力切替スイッチ３１、エアホース２５ｃ、サイレンサー３０ｅ及び操作レバー３２が設けられる。
【００１３】
圧力切替スイッチ３１は、本体３０の把持部３０ａ上部の外側面に取り付けられ、本体３０のモータへ供給するエアの圧力を高圧力又は低圧力に切替可能である。圧力切替スイッチ３１は、下部に棒状体からなる操作部３１ａが設けられる。圧力切替スイッチ３１の操作部３１ａは、モータの軸心方向に切替動作可能であり、回転軸先端方向即ち、本体３０の前方側へ倒すと低圧力に設定され、逆側即ち、本体３０の後方側へ倒すと高圧力に設定される。更に、圧力切替スイッチ３１は、本体３０の把持部３０ａを握った手の親指が、操作部３１ａの切り替え操作をできるように、把持部３０の上部の外側面において上下左右に移動させて調整可能である。そのため、把持部３０ａを握った状態で親指だけで、圧力切替スイッチ３１を容易に切り替え操作可能である。一般的に、圧力切替スイッチ３１の操作部３１ａを親指の爪で倒すよりも親指の腹で倒す方が操作し易いため、作業性を考慮して本体３０の前方側を最初に行う仮締め付け作業に合わせて低圧力に設定されている。更に、圧力切替スイッチ３１には、図２に示すように、図中上部に通信ケーブル２７の一端が接続され、他部が本体３０の把持部３０ａ及びエアホース２５ｃに沿って固定される。通信ケーブル２７は、操作部３１ａによって切り替えられるエアの圧力設定の電気信号を供給部２０に送信可能である。そして、エア供給部２０では、圧力切替スイッチ３１から送信される電気信号に基づいて、本体３０へ送出するエアの圧力を低圧力又は高圧力に設定される。
【００１４】
スイッチランプ３１ｂは、圧力切替スイッチ３１の操作部３１ａの先端に設けられ、操作部３１ａを本体３０の前方側へ倒すと点灯し、後方側へ倒すと消灯する。従って、スイッチランプ３１ｂは、圧力切替スイッチ３１の低圧力設定又は高圧力設定の視認を可能としている。そのため、間違いなく仮締め付け作業及び本締め付け作業を行うことができる。
【００１５】
エアホース２５ｃは、本体３０の把持部３０ａの下端に接続される。エアホース２５ｃは、エア供給部２０の電源２６から本体３０へ電力を供給すると共に、エア供給部２０から本体３０へエアを供給可能である。サイレンサー３０ｅは、本体３０の把持部３０ａの下部に設けられ、本体３０の動作音を小さくする。操作レバー３２は、本体３０の圧力切替スイッチ３１よりもモータの回転軸先端方向の把持部３０ａ側面上部に設けられ、本体３０のモータにエアを供給してモータの回転駆動をオンオフさせる。
【００１６】
尚、この実施形態では、作業性を考慮して、圧力切替スイッチ３１の操作部３１ａを本体３０の前方側へ倒すと低圧力に設定され、本体３０の後方側へ倒すと高圧力に設定されているが、逆に本体３０の前方側へ倒すと高圧力に設定され、本体３０の後方側へ倒すと低圧力に設定されるようにしてもよい。更に、この実施形態のモータは、エアにより回転駆動するエアモータを使用しているが、エアモータに限らず電動モータ等、他の駆動方式であるモータを使用してもよい。他の駆動方式のモータを使用する場合には、使用するモータの方式に合わせて、圧力切替スイッチ３１に代わるモータの回転速度を低速回転又は高速回転に切り替え可能な切替スイッチを設ける。
【００１７】
この発明の実施形態である締め付け装置１の作動を説明する。
まず、仮締め付け作業を行う場合には、エア供給部２０の第一エアレギュレータ２３を低圧力に設定し、第二エアレギュレータ２４を高圧力に設定する。エアレギュレータの設定後、本体３０の把持部３０ａを手の平で握り、圧力切替スイッチ３１の操作部３１ａを親指の腹で本体３０の前方側へ倒して低圧力に設定する。圧力切替スイッチ３１のスイッチランプ３１ｂが点灯して低圧力に設定されていることを確認した後、ワークの所定位置に設置したボルト等の部材にソケット３０ｄを接触させる。
次に、本体３０の操作レバー３２を人差し指で押し込む。すると、パワーバルブ２５が開かれ、エア供給部２０のエアフィルタ２１によって塵及びゴミ等が除去されて第一エアレギュレータ２３によって低圧力化されたエアがエアホース２５ｃを介して本体３０に供給される。本体３０に供給されたエアによって、モータが低速で回転駆動を始める。モータの低速回転駆動と共に、ソケット３０ｄも低速回転してボルト等の部材がワークに締め付けられ始める。ボルト等の部材がワークに完全に締め付けられる前に、操作レバー３２から人差し指を離す。すると、パワーバルブ２５が閉まりエアの供給が停止して、モータと共にソケット３０ｄも停止して仮締め付け作業が完了する。
【００１８】
全ての部材の仮締め付け作業の完了後、本締め付け作業を行う場合には、圧力切替スイッチ３１の操作部３１ａを親指の爪で本体３０の後方側へ倒して高圧力設定に切り替える。圧力切替スイッチ３１のスイッチランプ３１ｂが消灯して高圧力に設定されていることを確認した後、仮締め付けされた部材にソケット３０ｄを接触させる。
次に、本体３０の操作レバー３２を人差し指で押し込む。すると、パワーバルブ２５が開かれ、エア供給部２０のエアフィルタ２１によって塵及びゴミ等が除去されて第二エアレギュレータ２４によって高圧力化されたエアがエアホース２５ｃを介して本体３０に供給される。本体３０に供給されたエアによって、モータが高速で回転駆動を始める。モータの高速回転駆動と共に、ソケット３０ｄも高速回転してボルト等の部材がワークに締め付けられ始める。ボルト等の部材がワークに完全に締め付けされた後で、操作レバー３２から人差し指を離す。すると、パワーバルブ２５が閉まりエアの供給が停止し、モータと共にソケット３０ｄも停止して本締め付け作業が完了する。
尚、この実施の形態では、複数のボルト等の部材を全て仮締め付けした後に、本締め付けを行っているが、各部材毎に個別に仮締め付けと本締め付けとを続けて行ってもよい。
【００１９】
第１の実施の形態では、作業者が上下方向、即ち床方向又は天井方向を向いて締め付け作業を行う場合には、本体３０を持つ手の手首を曲げて本体３０のソケット３０ｄ先端をワークの所定位置に対して平行に構え、その状態のまま、圧力切替スイッチ３１の操作部３１ａを親指で操作する。しかしながら、手首を曲げた状態では親指が動かしにくくなるため、操作部３１ａを操作しにくいという問題を有した。また、作業者が上方向に向くワークの所定位置に締め付け作業を行う場合には、本体３０を片手で持ち上げた状態で圧力切り替えスイッチ３１の操作部３１ａを親指で操作しなければならず、本体３０の重量によって手元がふらつき圧力切り替えスイッチ３１の操作が困難であるという問題も有した。この問題点を解決する第２の実施の形態の締め付け装置１を以下に説明する。
【００２０】
以下に、図３に示す第２の実施の形態を説明する。図３は、図１に示す第１の実施の形態と同様にエア源１０及びエア供給部２０が設けられ、ガンタイプからなる本体（図示せず）がエアホース２５ｃを介してエア供給部２０と接続される。但し、第２の実施の形態の本体には、圧力切替スイッチ３１が設けられず、代わりに図３に示すように、押圧面４０ｂを上方に向けて床に設置されたプッシュ式スイッチからなるペダルスイッチ４０が設けられる。ペダルスイッチ４０は、エア供給部２０と通信ケーブル４０ａを介して接続される。ペダルスイッチ４０は、押圧面４０ｂを押圧すると、エアの圧力が低圧力に設定され、再び押圧面４０ｂを押圧すると高圧力に設定される。また、図３に図示しないが、締め付け装置１の付近には、エアの圧力設定を視認可能な行灯が設けられる。行灯は、ペダルスイッチ４０によって、エアの圧力が低圧力に設定された場合には点灯し、逆に高圧力に設定された場合には消灯する。
従って、第２の実施の形態では、作業者は、本体３０に供給されるエアの圧力設定をペダルスイッチ４０の押圧面４０ｂを足で踏み込む毎に、低圧力又は高圧力に切り替える。そして、作業者は、エアの圧力設定を行灯で確認した後、仮締め付け作業及び本締め付け作業を行う。
このように構成する第２の実施の形態の締め付け装置１によれば、上下方向を向いているワークの所定位置に対して作業する場合に、足で操作可能なペダルスイッチ４０によって圧力を切り替えるため、作業効率が向上するという効果がある。
【００２１】
【発明の効果】
この発明によれば、締め付け装置の本体に圧力切替スイッチを設けることによって、一個の締め付け装置の本体で仮締め付け作業及び本締め付け作業を行うことができるため、作業時間の短縮及び作業の効率が向上する。
更に、締め付け装置の本体は、内部にバッテリ等の電源を設けず軽量であるため、作業時間の短縮及び作業の効率が向上する。
更に、締め付け装置の本体は、エア供給部から電力の供給を受けているため、バッテリ切れ等の電力不足で作業が中断されることが無くなり、作業時間の短縮及び作業の効率が向上する。
更に、上下方向を向いているワークの所定位置に対して作業する場合に、足で操作可能なペダルスイッチによって圧力を切り替えるため、作業効率が向上するという効果がある。
【図面の簡単な説明】
【図１】この発明の第１の実施形態の締め付け装置のエア供給部及びエア供給源を説明する正面説明図
【図２】同本体を説明する正面説明図
【図３】この発明の第２の実施形態の締め付け装置を説明する正面説明図
【符号の説明】
１  締め付け装置
１０  エア源
１０ａ  エア送出孔
１１  エア供給管
２０  エア供給部
２１  エアフィルタ
２１ａ  エア取入孔
２１ｂ  エア送出孔
２２  連結管
２３  第一エアレギュレータ
２４  第二エアレギュレータ
２５  パワーバルブ
２５ａ  エア取入孔
２５ｂ  エア送出孔
２５ｃ  エアホース
２６  電源
２６ａ  電源ケーブル
２７  通信ケーブル
３０  本体
３０ａ  把持部
３０ｂ  回転軸
３０ｃ  軸孔
３０ｄ  ソケット
３０ｅ  サイレンサー
３１  圧力切替スイッチ
３１ａ  操作部
３１ｂ  スイッチランプ
３２  操作レバー
４０  ペダルスイッチ
４０ａ  通信ケーブル
４０ｂ  押圧面
【図１】
2004351549.tif 000003
【図２】
2004351549.tif 000004
【図３】
2004351549.tif 000005